(57)【要約】【課題】適宜更新された本人識別情報を視覚的に提示できる本人識別カード、及び、それを生成する本人識別カード生成システムを提供する。【解決手段】本人識別カード生成システムは、電子情報を記憶するＩＣチップと、視認可能な表示情報を書き換え可能に表示する情報表示面とを備えたリライタブルカード４０によって構成される本人識別カードを用いる。この本人識別カード生成システムは、リライタブルカード４０のＩＣチップにユーザの本人識別情報を記録する。そして、この本人識別カード生成システムは、リライタブルカード４０のＩＣチップに記憶する本人識別情報に基づいて視認可能な表示情報をリライタブルカード４０の情報表示面に書き込む。【選択図】　　　図１
2004145430.tif 000002
【特許請求の範囲】
【請求項１】
電子情報を記憶する電子情報記憶手段と、視認可能な表示情報を書き換え可能に表示する情報表示手段とを備えたリライタブルカードによって構成される本人識別カードを用いてユーザの本人識別を行う本人識別カード生成システムであって、
前記電子情報記憶手段に前記ユーザの本人識別情報を記録する電子情報書換手段と、
前記電子情報記憶手段に記録する本人識別情報に基づいて前記情報表示手段に視認可能な表示情報を書き込む表示情報書換手段と
を備えたことを特徴とする本人識別カード生成システム。
【請求項２】
前記電子情報書換手段は、前記電子情報記憶手段に前記ユーザのスケジュールを記録するとともに、
前記表示情報書換手段は、前記電子情報書換手段に記憶された前記スケジュールに基づいて、前記情報表示手段にユーザの注意を喚起するための情報を視認可能に書き込むことを特徴とする請求項１に記載の本人識別カード生成システム。
【請求項３】
前記ユーザの注意を喚起するための情報は、前記電子情報書換手段に記憶された前記スケジュールの予定日が処理日から所定期間内である場合に書き込むことを特徴とする請求項２に記載の本人識別カード生成システム。
【請求項４】
電子情報を記憶する電子情報記憶手段と、視認可能な表示情報を書き換え可能に表示する情報表示手段とを備えたリライタブルカードによって構成される本人識別カードあって、
前記電子情報記憶手段にユーザの本人識別情報を記憶し、
前記情報表示手段に前記ユーザの本人識別情報に基づく視認可能な表示情報を表示することを特徴とする本人識別カード。
【請求項５】
前記電子情報記憶手段に前記ユーザのスケジュールを記憶するとともに、前記電子情報記憶手段に記憶された前記スケジュールに基づくユーザの注意を喚起するための情報を前記情報表示手段に視認可能に表示することを特徴とする請求項４に記載の本人識別カード。
【発明の詳細な説明】
【０００１】
【発明の属する技術分野】
本発明は、ユーザの本人識別のための本人識別カード、及び、それを生成する本人識別カード生成システムに関する。
【０００２】
【従来の技術】
高齢者が外出先で体調不良を訴えた場合には、周囲の人が、介護手帳、健康保険証、免許証、又は私製の迷子札等により本人の氏名、連絡先等を確認し対処する場合がある。また、高齢者は、医療機関を頻繁に利用したり、介護保険を受けたりするため、それらの予約内容を把握しておく必要がある。他方、ＩＣカード、磁気カード等が一般的に使用されており、これらに視認可能な表示情報を書き換え可能に表示する機能を付加したリライタブルカードが広まっている（例えば、特許文献１参照。）。
【０００３】
【特許文献１】
特開２００２−１７５５０３号公報（第３−５頁）
【０００４】
【発明が解決しようとする課題】
しかし、周囲の人が対応する場合に、介護手帳、健康保険証、免許証、私製の迷子札等では、連絡先や通院している医療機関等についての情報や、緊急医療の際に必要な血液型、通常の血圧等を、一見して認識できない場合がある。また、これらの情報は変更される場合がある。介護手帳等に記録した記載事項を変更する場合、例えば、二重線により削除して新しい情報を別途記載すると、確認しにくい記載となる。さらに、高齢者の持病等、本人から聞く必要がある場合、高齢者は、それらの自己に関する情報を適切に伝達できないことも多い。このような場合、高齢者が、普段、通院している医療機関以外の医療機関に搬送されると、血液型、通常の血圧、持病等が分からなかったり確認に手間取ったりして、適切な応急処置を行うことができない可能性がある。また、高齢者は、医療機関や介護保険の予約内容を忘れてしまう場合も多く、それらの予約内容を忘れさせないようにする必要もある。
【０００５】
本発明は、上記問題点を解決するためになされたものであり、その目的は、適宜更新された本人識別情報を視覚的に提示できる本人識別カード、及び、それを生成する本人識別カード生成システムを提供することにある。
【０００６】
【課題を解決するための手段】
上記問題点を解決するために、請求項１に記載の発明は、電子情報を記憶する電子情報記憶手段と、視認可能な表示情報を書き換え可能に表示する情報表示手段とを備えたリライタブルカードによって構成される本人識別カードを用いてユーザの本人識別を行う本人識別カード生成システムであって、前記電子情報記憶手段に前記ユーザの本人識別情報を記録する電子情報書換手段と、前記電子情報記憶手段に記録する本人識別情報に基づいて前記情報表示手段に視認可能な表示情報を書き込む表示情報書換手段とを備えたことを要旨とする。
【０００７】
請求項２に記載の発明は、請求項１に記載の本人識別カード生成システムにおいて、前記電子情報書換手段は、前記電子情報記憶手段に前記ユーザのスケジュールを記録するとともに、前記表示情報書換手段は、前記電子情報書換手段に記憶された前記スケジュールに基づいて、前記情報表示手段にユーザの注意を喚起するための情報を視認可能に書き込むことを要旨とする。
【０００８】
請求項３に記載の発明は、請求項２に記載の本人識別カード生成システムにおいて、前記ユーザの注意を喚起するための情報は、前記電子情報書換手段に記憶された前記スケジュールの予定日が処理日から所定期間内である場合に書き込むことを要旨とする。
【０００９】
請求項４に記載の発明は、電子情報を記憶する電子情報記憶手段と、視認可能な表示情報を書き換え可能に表示する情報表示手段とを備えたリライタブルカードによって構成される本人識別カードあって、前記電子情報記憶手段にユーザの本人識別情報を記憶し、前記情報表示手段に前記ユーザの本人識別情報に基づく視認可能な表示情報を表示することを要旨とする。
【００１０】
請求項５に記載の発明は、請求項４に記載の本人識別カードにおいて、前記電子情報記憶手段に前記ユーザのスケジュールを記憶するとともに、前記電子情報記憶手段に記憶された前記スケジュールに基づくユーザの注意を喚起するための情報を前記情報表示手段に視認可能に表示することを要旨とする。
【００１１】
（作用）
請求項１に記載の発明によれば、本人識別カード生成システムは、電子情報を記憶する電子情報記憶手段と、視認可能な表示情報を書き換え可能に表示する情報表示手段とを備えたリライタブルカードによって構成される本人識別カードを用いる。そして、本人識別カード生成システムは、電子情報記憶手段にユーザの本人識別情報を記録し、電子情報記憶手段に記録する本人識別情報に基づいて情報表示手段に視認可能な表示情報を情報表示手段に書き込む。このため、電子情報記憶手段に記録する本人識別情報に基づいて本人識別カードに表示された視認可能な表示情報を、ユーザ本人が目で見て確認したり、他人に提示したりすることができる。また、本人識別カードに電子情報として記録されたユーザの本人識別情報を読み出して処理を行うことが可能となる。
【００１２】
請求項２に記載の発明によれば、本人識別カード生成システムは、本人識別カードの電子情報記憶手段にユーザのスケジュールを記録する。そして、本人識別カード生成システムは、本人識別カードの電子情報書換手段に記憶されたスケジュールに基づいて、情報表示手段にユーザの注意を喚起するための情報を視認可能に書き込む。このため、ユーザのスケジュールを管理できるとともに、スケジュールについてユーザの注意を喚起することができる。
【００１３】
請求項３に記載の発明によれば、ユーザの注意を喚起するための情報は、電子情報書換手段に記憶されたスケジュールの予定日が処理日から所定期間内である場合に書き込む。このため、スケジュールの予定日が、処理日から所定期間内である場合に、スケジュールについてユーザの注意を喚起できる。
【００１４】
請求項４に記載の発明によれば、本人識別カードは、電子情報を記憶する電子情報記憶手段と、視認可能な表示情報を書き換え可能に表示する情報表示手段とを備えたリライタブルカードによって構成される。そして、本人識別カードは、電子情報記憶手段にユーザの本人識別情報を記憶し、情報表示手段にユーザの本人識別情報に基づく視認可能な表示情報を表示する。このため、ユーザの本人識別情報に基づいて本人識別カードに表示された視認可能な表示情報を、ユーザ本人が目で見て確認したり、他人に提示したりすることができる。また、本人識別カードに電子情報として記録されたユーザの本人識別情報を読み出して処理を行うことが可能となる。
【００１５】
請求項５に記載の発明によれば、本人識別カードは、ユーザのスケジュールを電子情報記憶手段に記録する。また、本人識別カードは、電子情報記憶手段に記憶されたスケジュールに基づくユーザの注意を喚起するための情報を情報表示手段に視認可能に表示する。このため、ユーザのスケジュールを管理できるとともに、スケジュールについてユーザの注意を喚起することができる。
【００１６】
【発明の実施の形態】
以下、本発明を具体化した一実施形態を図１〜図６に従って説明する。本実施形態では、ユーザの本人識別のための本人識別カードを生成する本人識別カード生成システムとして説明する。この本人識別カードは、ＩＣチップを内蔵したＩＣカードであるとともに、リライタブルカードでもある。ここで、リライタブルカードとは、表面に、任意の情報を視認可能に表示することができるカードであって、表示した情報の消去及び再書き込みが可能なものである。本実施形態では、この本人識別カードを、高齢者に携帯させ、医療機関等で提示させる。
【００１７】
図１に示すように、本人識別カード生成システムは、サービスセンタ２０、ユーザの自宅のパソコン３１及び健康管理機関（医療機関、介護機関等）のパソコン３２を備えている。パソコン３１，３２には、それぞれ、リライタブルカード４０の読み取り及び書き込みが可能なリライタブルカード処理手段としてのリライタブルカード処理装置５０（図２参照）が接続されている。そして、パソコン３１，３２は、インターネット３０を介してサービスセンタ２０に接続されている。
【００１８】
パソコン３１，３２は、データの入力、リライタブルカード処理装置５０やサービスセンタ２０との間でのデータの送受信、データの表示を行う。このため、このパソコン３１，３２は、図示しない制御手段（ＣＰＵ）、記憶手段（ＲＡＭ、ＲＯＭ、ハードディスク等）、通信手段、表示手段（例えば、モニタ）、入力手段（例えば、キーボードやマウス）を備えている。また、パソコン３１，３２は、各種プログラムを備えている。そして、パソコン３１，３２は、それぞれ接続されたリライタブルカード処理装置５０とともに、電子情報書換手段、表示情報書換手段等を構成する。
【００１９】
リライタブルカード（以下、単にカードという）４０には、一面に視認可能な表示情報を記録する情報表示手段としての情報表示面が配置され、さらに、電子情報記憶手段としてのＩＣチップが内蔵されている。情報表示面は、熱記録面等から構成され、任意の情報を視認可能に表示する。情報表示面には、後述するように、ユーザの本人識別情報が視認可能な表示情報として表示されている。
【００２０】
ＩＣチップには、図４に示すように、ユーザの本人識別情報４１０が、電子情報として記録されている。具体的には、本人識別情報４１０は、ユーザ識別子、氏名、本人詳細情報、連絡先、身体情報、医療機関情報、介護保険情報、特記事項、スケジュール及び文字サイズにより構成されている。なお、ＩＣチップに記録された電子情報に基づいて、情報表示面に表示情報が表示される。
【００２１】
ユーザ識別子は、ユーザを識別するための識別子である。氏名は、ユーザの氏名である。本人詳細情報は、ユーザ本人についての情報であって、ユーザの年齢、身長、体重等である。連絡先は、ユーザの住所、保護者の自宅の電話番号（保護者宅電話番号）、保護者の携帯電話番号等である。身体情報は、ユーザの血液型、最新の血圧、持病名、及び同病気の注意事項等である。医療機関情報は、ユーザのかかりつけの病院名や通院中の病院名と、その病院の電話番号等である。介護保険情報は、ケアマネージャ名とそのケアマネージャの携帯電話番号、利用中の介護施設名とその電話番号、介護保険のサービス利用点数と点数残高等である。特記事項は、カード４０に、そのユーザについて特別に記載する項目である。スケジュールは、ユーザに提供されるサービス等についての予約日時及び内容である。具体的には、ショートステイの日時、病院の診療予約日時、保健所の健康診断の日時等が、提供されるサービス等の内容とともに設定されている。なお、ショートステイとは、高齢者等の介護者が、病気や冠婚葬祭、休養などのため介護できない場合に、介護施設等に短期間入所できるサービスである。文字サイズは、カード４０に表示する特記事項やスケジュールについてのメッセージの文字の大きさである。
【００２２】
パソコン３１，３２に接続されたリライタブルカード処理装置（以下、単にカード処理装置という）５０を、図２に示す。このカード処理装置５０は、図３に示すように、通信インターフェース５３、記憶部５５、カード処理部５７及び制御部５９を備えている。通信インターフェース５３は、パソコン３１，３２に接続され、カード４０から読み取った情報をパソコン３１，３２に通知し、パソコン３１，３２から通知された情報を制御部５９に通知する。記憶部５５は、カード処理に必要な情報を記憶する。カード処理部５７は、電子情報記録部５７１と熱記録部５７３とを備える。電子情報記録部５７１は、制御部５９の制御下に、カード４０に内蔵されたＩＣチップに記録された情報を読み取り、更新する。熱記録部５７３は、サーマルヘッドを備え、制御部５９の制御下に、リライタブルカードに配置された情報表示面の表示を消去し、再書き込みを行う。制御部５９は、カード処理部５７を介してカード４０の記録情報を読み込み、パソコン３１，３２からの情報に従って、電子情報記録部５７１及び熱記録部５７３を制御して、カード４０に情報を記録する。
【００２３】
サービスセンタ２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、各種プログラムを備えており、データの送受信、後述するデータの処理等を行う。
【００２４】
管理コンピュータ２１には、バックアップ情報記憶部２２が接続されている。バックアップ情報記憶部２２には、ユーザ毎にバックアップ情報が記憶されている。本実施形態では、バックアップ情報は、ユーザ識別子、氏名、本人詳細情報、連絡先、身体情報、医療機関情報、介護保険情報、特記事項、文字サイズ、スケジュールにより構成されている。このバックアップ情報は、パソコン３１，３２から送信されたバックアップデータに基づいて記憶される。このバックアップ情報は、ユーザがカード４０を紛失した場合や、携帯するのを忘れた場合に使用される。
【００２５】
（本人識別カードの情報表示面の表示）
次に、カード４０の情報表示面への記録例を図５を用いて説明する。図５に示すように、カード４０の情報表示面には、本人情報欄６１、連絡先情報欄６２、身体情報欄６３、健康管理機関情報欄６４、記録日欄６５、デイサービスの曜日欄６６、メッセージ欄６７及びユーザの写真欄６８が設けられている。本人情報欄６１には、ユーザ識別子、氏名、年齢、身長及び体重が表示される。連絡先情報欄６２には、ユーザの保護者への連絡先として、住所、保護者宅電話番号及び保護者携帯電話番が表示される。身体情報欄６３には、ユーザの血液型、ユーザの持病及び同病記の注意事項が表示される。健康管理機関情報欄６４には、ユーザが利用している医療機関、介護施設等の情報が表示される。ここでは、通院中の病院の名称、ケアマネージャ名、介護施設の名称及びこれらの電話番号が表示されている。記録日欄６５は、カード４０への記録を行った日付が表示される。曜日欄６６には、デイサービスを受けられる曜日が表示される。なお、デイサービスとは、日帰りで介護施設に通い、食事、入浴、日常動作訓練等を提供するサービスである。本実施形態では、デイサービスを受けられる曜日は予め定められている。
【００２６】
メッセージ欄６７には、ユーザのスケジュールに基づいて、予定日の所定期間前からユーザの注意を喚起するためのメッセージが表示される。また、メッセージ欄６７には、本人識別情報４１０の特記事項に基づいて、メッセージが表示される。このメッセージ欄６７の表示は、本人識別情報４１０の文字サイズに従って表示される文字の大きさが決定される。写真欄６８には、介護施設等で撮影されたユーザの写真が表示される。なお、情報表示面に記録されたこれらの情報は、写真以外は、カード４０に内蔵されたＩＣチップに電子情報として記録されている本人識別情報４１０に基づいて表示される。
【００２７】
（本人識別カードの電子情報及び表示情報の書き換え）
次に、上記のように構成されたシステムにおいて、カード４０に記録された視認可能な表示情報及び電子情報を書き換える場合の処理手順を図６を用いて説明する。なお、ユーザである高齢者は、毎日、自宅にてパソコン３１に接続されたカード処理装置５０を用いて、カード４０の書き換えを行う。ここでは、１１月１日に、ユーザが自宅のカード処理装置５０を用いてカード４０の書き換えを行う場合を想定する。
【００２８】
まず、ユーザは、パソコン３１のカード処理装置５０のカード挿入口５０ａにカード４０を挿入する。この場合、パソコン３１は、カード処理装置５０を介して、カード４０のＩＣチップに記録された電子情報を読み出す（ステップＳ１−１）。次に、更新する情報がある場合、ユーザは、パソコン３１に健康管理についての入力画面を表示させ、更新する情報を入力する。なお、この操作は、高齢者であるユーザの介護者が行ってもよい。パソコン３１は、これらの入力を受け入れると（ステップＳ１−２）、その更新情報に基づいて、カード処理装置５０によりカード４０のＩＣチップに記憶された電子情報を更新する（ステップＳ１−３）。次に、パソコン３１は、カード４０のＩＣチップに記憶されたスケジュールから、ユーザに報知すべきスケジュールがあれば、それを抽出する（ステップＳ１−４）。具体的には、パソコン３１は、当日の日付から所定の日数後（例えば、２日後）の日付を算出し、ＩＣチップに記憶されたスケジュールの予定日が、算出された日付までの期間内に含まれるスケジュールを抽出する。ここでは、当日（１１月１日）の２日後（１１月３日）にショートステイのスケジュールが設定されている場合を想定する。従って、この１１月３日のショートステイのスケジュールが抽出される。
【００２９】
次に、パソコン３１は、情報表示面に記録する表示情報を、カード４０のＩＣチップに記録した電子情報に基づいて生成する（ステップＳ１−５）。ここで、パソコン３１は、抽出したスケジュールに基づいてメッセージ欄６７に表示させるメッセージを生成する。ここでは、「明後日（１１月３日）からショートステイです。・・・」というメッセージが生成される。そして、写真欄６８以外の部分について表示情報を編集する。なお、写真欄６８を更新する場合については、後述する。
【００３０】
そして、パソコン３１は、カード処理装置５０により、カード４０の情報表示面の表示を書き換える（ステップＳ１−６）。具体的には、カード処理装置５０は、情報表示面に記録された表示情報のうち、写真欄６８以外の表示を消去し、生成した表示情報に基づいて再書き込みを行う。これにより、カード４０の情報表示面に、図５に示すように表示される。なお、記録日欄６５には、当日（１１月１日）が表示される。
【００３１】
そして、パソコン３１は、カード４０のＩＣチップに記録した電子情報のバックアップデータを管理コンピュータ２１に送信する（ステップＳ１−７）。管理コンピュータ２１は、このバックアップデータを受信すると、ユーザ識別子によりバックアップ情報記憶部２２を検索し、そのユーザ識別子のバックアップ情報を更新する。
【００３２】
（写真欄６８の表示）
写真欄６８を更新する場合、ユーザは、デジタルカメラで撮影した写真の画像データをパソコン３１に取り込ませ、パソコン３１にて写真欄６８を更新する旨の入力を行う。この場合、上述のステップＳ１−６において、パソコン３１に接続されたカード処理装置５０は、情報表示面の写真欄６８に記録された写真を消去し、取り込んだ画像データに基づいて写真欄６８に再書き込みを行う。
【００３３】
（健康管理機関での本人識別カードの使用例）
上記のように、ユーザは、毎日、自宅のパソコン３１に接続したカード処理装置５０を用いて、カード４０の電子情報及び視認可能な表示情報の書き換えを行う。そして、ユーザは、常時、携帯しているこのカード４０を、健康管理機関（医療機関、介護施設等）を訪問した際に提出する。
【００３４】
健康管理機関では、担当者が、カード４０の写真欄６８に表示された写真によりユーザ本人を確認し、そのユーザについての氏名、年齢等の本人情報を本人情報欄６１により確認する。さらに、健康管理機関では、その健康管理機関に設置されたパソコン３２及びそれに接続されたカード処理装置５０を用いて、上述の場合と同様に、カード４０の書き換えを行う。例えば、体重が変化した場合、健康管理機関の担当者は、パソコン３２において、最新の体重を入力する。そして、パソコン３２に接続されたカード処理装置５０により、本人識別情報４１０を更新するとともに、本人情報欄６１の表示を書き換える。また、次回の通院予定が決定した場合、パソコン３２において、その予定日時及び内容（病院名、検査内容等）を入力する。そして、パソコン３２に接続されたカード処理装置５０により、本人識別情報４１０のスケジュールを更新する。入力された予定日が処理日から所定日（例えば、２日）以内である場合、表示情報の書き換えにおいて、メッセージ欄６７が書き換えられ、その通院予定についてのメッセージがメッセージ欄６７に表示される。そして、パソコン３２は、カード４０のＩＣチップに記録した電子情報のバックアップデータを管理コンピュータ２１に送信する。管理コンピュータ２１は、このバックアップデータを受信し、バックアップ情報を更新する。
【００３５】
さらに、各健康管理機関のパソコン３２は、各ユーザに関する情報をユーザ識別子に関連付けて記憶していてもよい。そして、カード４０のＩＣチップから読み出したユーザ識別子に基づいて、そのユーザについての情報を読み出して、それぞれ処理を行ってもよい。
【００３６】
以上、本実施形態によれば、以下に示す効果を得ることができる。
・　上記実施形態では、カード４０のＩＣチップに本人識別情報４１０を記録し、その本人識別情報４１０に基づいてカード４０の情報表示面に視認可能な表示情報を書き込む。このため、カード４０の情報表示面に視認可能な表示情報として表示された情報を、ユーザ本人が目で見て確認したり、他人に提示したりすることができる。従って、カード４０を高齢者であるユーザの備忘録として用いることができる。さらに、高齢者であるユーザが自己についての情報を口頭では適切に伝達できない場合に、カード４０の情報表示面の表示情報により、自己についての情報を提示できる。また、カード４０のＩＣチップに記録された本人識別情報４１０を読み出して、処理を行うことが可能となる。
【００３７】
・　上記実施形態では、カード４０に内蔵されたＩＣチップに電子情報としてユーザのスケジュールを記憶する。そして、パソコン３１は、そのスケジュールに基づいて、ユーザの予定についてのメッセージをカード４０の情報表示面に表示させる。このため、ユーザのスケジュールを管理できるとともに、スケジュールについてユーザの注意を喚起することができる。
【００３８】
・　上記実施形態では、ユーザの予定についてのメッセージを、予定日の所定期間前から表示させる。このため、ユーザの注意を喚起でき、予約忘れを防止できる。また、このメッセージは書き換え可能であるため、必要なメッセージのみを表示させることができる。
【００３９】
・　上記実施形態では、カード４０の情報表示面にユーザの写真を表示させる。このため、健康管理機関等の担当者、周囲の人、緊急医療を施す人等が、カード４０を携帯しているユーザがそのカード４０に記録された本人であることを写真により確認できる。また、この写真は書き換え可能であるため、同一のカード４０を複数年にわたって使用する場合でも、現状に近い写真により本人確認がしやすくなる。
【００４０】
・　上記実施形態では、カード４０の情報表示面にユーザの保護者の連絡先や健康管理機関の連絡先を表示させる。このため、ユーザが外出先で体調不良を訴えた場合に、周囲の人が、これらの表示を参考にして、ユーザの保護者や通院中の病院等に連絡することができる。また、これらの連絡先は書き換え可能であるため、電話番号が変更になったり、ケアマネージャが交代した場合にも、同一のカードを用いることができる。
【００４１】
・　上記実施形態では、カード４０の情報表示面にユーザの血液型や、持病、同病記の注意事項を表示させる。また、カード４０の情報表示面には、特記事項を表示できる。このため、ユーザが外出先で体調不良を訴え、通院中の病院以外の医療機関に運ばれた場合やユーザに緊急医療を施す場合に、その情報を参考にして対処することができる。また、これらは書き換え可能であるため、必要な注意事項を、その都度、表示させることできる。
【００４２】
・　上記実施形態では、カード４０の表情報記録部に視認可能に表示した表示情報は書き換え可能である。このため、カード処理装置５０により書き換えを行うことにより、ユーザは、常に最新の情報を視認可能に表示したカード４０を携帯することができる。
【００４３】
・　上記実施形態では、カード４０に、本人識別情報を電子情報として記憶するとともに、その本人識別情報に基づく視認可能な表示情報を表示させる。このため、データキャリアが小型かつ軽量であって、ユーザが常に携帯できる。
【００４４】
・　上記実施形態では、サービスセンタ２０のバックアップ情報記憶部２２にバックアップ情報を記憶する。このため、ユーザがカード４０を紛失した場合でも、バックアップ情報により必要な情報を取得でき、また、カード４０を再発行できる。
【００４５】
なお、上記実施形態は、以下の態様に変更してもよい。
・　上記実施形態では、ユーザが、毎日、パソコン３１に接続されたカード処理装置５０にカード４０をセットし、カード４０に記録された電子情報及び視認可能な表示情報の書換を行ったが、これに限られるものではない。例えば、介護保険でケアマネージャ等が訪問した際に、カード４０に記録した情報の書換を行ってもよい。この場合、カード４０の情報表示面に、介護保険のサービス別利用点数や点数残高を表示してもよい。
【００４６】
・　上記実施形態では、本人識別情報４１０に設定した文字サイズによりメッセージ欄６７に表示させる文字の大きさを指定した。これに代えて、本人識別情報４１０に文字サイズを設定せず、ユーザの年齢等に基づいてカード４０に表示させる文字の大きさを決定してもよい。
【００４７】
・　上記実施形態では、本人識別情報４１０の文字サイズに従ってメッセージ欄６７に表示する文字の大きさを決定した。これに加えて、文字サイズに対応させてメッセージを予め登録しておき、同じ内容を示す場合でも、文字サイズによってそれぞれ異なるメッセージを表示するようにしてもよい。例えば、比較的大きな文字サイズに対しては短いメッセージとする一方、比較的小さな文字サイズに対しては長いメッセージとする。このようにすることで、メッセージ欄６７を有効に利用してメッセージを表示することが可能となる。
【００４８】
・　上記実施形態では、本人識別カードとしてのカード４０は、ＩＣカードとした。このＩＣカードは、接触型、非接触型のどちらでもよい。また、本人識別カードは、ＩＣカードに限られるものではなく、磁気カード等であってもよい。
【００４９】
・　上記実施形態では、カード４０に記憶された本人識別情報４１０のバックアップデータをサービスセンタ２０のバックアップ情報記憶部２２に記憶した。これに代えて、データキャリアはカード４０のみとし、バックアップデータをサービスセンタ２０で管理しなくてもよい。
【００５０】
・　上記実施形態では、カード４０のＩＣチップが電子情報（本人識別情報４１０）を記憶し、そのバックアップデータをサービスセンタ２０のバックアップ情報記憶部２２が記憶した。これに代えて、カード４０が記憶しない情報をサービスセンタ２０で管理してもよい。また、複数の健康管理機関等で必要となる情報をサービスセンタ２０で管理してもよい。このようにすることで、カード４０の記憶容量を超える大量の情報についても、複数の健康管理機関等で共有することができる。
【００５１】
・　上記実施形態のカード４０に、さらに、自動発信機能付きテレホンカードとしての機能を持たせてもよい。具体的には、自動発信機能付き公衆電話により、カード４０に表示されている連絡先の電話番号に電話をかけることができるようにする。この場合、自動発信機能付き公衆電話にカード４０をセットすると、自動発信機能付き公衆電話の表示部に、発信先の名称と短縮番号が表示される。ユーザは、表示された発信先の名称を確認して短縮番号を選択して入力する。なお、発信先の名称と短縮番号とは、音声によって通知してもよい。このようにすることで、自動発信機能付き公衆電話を用いて、ユーザが容易に健康管理機関等に電話をかけることができる。
【００５２】
・　上記実施形態では、写真欄６８の写真は書き換え可能としたが、写真は書き換え不可能であってもよい。この場合、写真は、例えば昇華型熱転写記録方式を用いてフルカラーで表示してもよい。
【００５３】
【発明の効果】
以上詳述したように、本発明によれば、適宜更新された本人識別情報を視覚的に提示できる。
【図面の簡単な説明】
【図１】本発明の一実施形態のシステム概略図。
【図２】リライタブルカード及びリライタブルカード処理装置の斜視図。
【図３】リライタブルカード処理装置のブロック回路図。
【図４】リライタブルカードのＩＣチップに記憶されたデータの説明図。
【図５】リライタブルカードの表示内容の説明図。
【図６】本発明の一実施形態の処理手順の説明図。
【符号の説明】
４０…リライタブルカード、３１，３２…電子情報書換手段及び表示情報書換手段パソコン、５０…電子情報書換手段及び表示情報書換手段としてのカード処理装置。
【図１】
2004145430.tif 000003
【図２】
2004145430.tif 000004
【図３】
2004145430.tif 000005
【図４】
2004145430.tif 000006
【図５】
2004145430.tif 000007
【図６】
2004145430.tif 000008